(57)【要約】  【課題】  医療用の減圧採血容器に用いる栓体において、製造工程を少なくすることができ、使用後の破棄も容易なエラストマー樹脂製の採血容器用の栓体等を提供することにある。【解決手段】  栓体が、熱可塑性エラストマー樹脂からなるコンプレッション成型体で構成されていることを特徴とする採血容器用栓体である。更には採血管開口部天面に密着する胴部と、採血管の前記開口部の端縁部に密着する下面部と、前記開口部の内壁に密着する脚部とを備え、前記胴部の上面部に針刺し部を有する栓体であって、前記栓体全体が熱可塑性エラストマー樹脂からなるコンプレッション成型体で構成されている採血容器用栓体である。また前記栓体により採血管の開口部が封口されており、内部が減圧状態にあることを特徴とする採血容器である。【選択図】  図１
2005073841.tif 000002
【特許請求の範囲】
【請求項１】
栓体が、熱可塑性エラストマー樹脂からなるコンプレッション成型体で構成されていることを特徴とする採血容器用栓体。
【請求項２】
採血管開口部天面に密着する胴部と、採血管の前記開口部の端縁部に密着する下面部と、前記開口部の内壁に密着する脚部とを備え、前記胴部の上面部に針刺し部を有する栓体であって、前記栓体全体が熱可塑性エラストマー樹脂からなるコンプレッション成型体で構成されている請求項１記載の採血容器用栓体。
【請求項３】
請求項１または２記載の栓体により採血管の開口部が封口されており、内部が減圧状態にあることを特徴とする採血容器。
【発明の詳細な説明】
【技術分野】
【０００１】
本発明は、医療用の採血容器に用いる栓体に関する。
【背景技術】
【０００２】
現在、採血に用いる採血容器は、一般に、予め容器中を真空状態にした減圧採血容器が用いられている。採血時には採血容器の栓体に注射針を刺すことで、減圧効果により血液を容器中に導入するものである。このため、当該栓体には弾性のあるゴム製のものが用いられている（例えば、特許文献１）。しかしゴム製栓体の場合、採血した血液に不純物成分が混入しないように、成型工程後多くの工程が必要となり、コスト高の要因となっていた。この点、ゴム製に替えてエラストマー樹脂製の栓体にすることができれば、かかる多くの工程が不要になるところ、従来のエラストマー樹脂はゴム素材に比較すると残歪性が大きいため、かかるエラストマー樹脂を用いた栓体では、針刺し後の密閉性が必ずしも十分保持できなかった。
【０００３】
上記ゴム製栓体を改良すべく、栓体の替わりに、アルミ箔等の封止体にて容器中を減圧状態に保ち、当該封止体の上部にゴムやエラストマー樹脂製の針刺し部を設けた採血容器用の封止体が提案されている。（例えば、特許文献２）。
【特許文献１】特開平４−３２７８３６号公報
【特許文献２】特開平７−２５５８２１号公報
【発明の開示】
【発明が解決しようとする課題】
【０００４】
しかしながら、上記封止体を製作するには、自ずと多工程にならざるを得ないので、その分のコスト高は避けられない。また採血用の栓体は使い捨てであり、再使用するものではない。このため使用後の破棄が容易であることが必要となる。この点においても、上記封止体は無機物（アルミ箔）と有機物（ゴムまたはエラストマー樹脂）の複合部材であり、環境破壊防止の観点からは両者を分別して破棄する必要があるにも関わらず、かかる分別破棄は十分されていなかった。
【０００５】
かかる状況を鑑みて、本発明の解決しようとする課題は、製造工程を少なくすることができ、使用後の破棄も容易なエラストマー樹脂製の採血容器用の栓体及び採血容器を提供することにある。
【課題を解決するための手段】
【０００６】
本発明者らは、上記課題を解決するために鋭意検討した結果、以下の手段を採ることとした。
【０００７】
すなわち本発明は、栓体が、熱可塑性エラストマー樹脂からなるコンプレッション成型体で構成されていることを特徴とする採血容器用栓体の発明である。
【０００８】
更に詳細には、採血管開口部天面に密着する胴部と、採血管の前記開口部の端縁部に密着する下面部と、前記開口部の内壁に密着する脚部とを備え、前記胴部の上面部に針刺し部を有する栓体であって、前記栓体全体が熱可塑性エラストマー樹脂からなるコンプレッション成型体で構成されている前記採血容器用栓体の発明である。
【０００９】
加えて前記栓体により採血管の開口部が封口されており、内部が真空状態にあることを特徴とする採血容器の発明である。
【発明の効果】
【００１０】
本発明の採血容器用栓体は、熱可塑性エラストマー樹脂からなるコンプレッション成型体なので、針刺し後の密閉性を保持することができる。このため、当該コンプレッション成型体による実用的な減圧採血容器用の栓体の製造が可能になる。従って、従来から使用されているゴム製栓体や針刺し部を設けた封止体よりもコスト面で優位であり、また針刺し部を設けた封止体に比べて使用後の破棄が容易である。
【発明を実施するための最良の形態】
【００１１】
本発明の栓体にはエラストマー樹脂が用いられる。なかでも製造コストの面等から熱可塑性エラストマー樹脂を用いることが好適である。熱可塑性エラストマー樹脂の例としては、オレフィン系、スチレン系、ポリウレタン系、ポリエステル系、ポリ塩化ビニール系、ポリブタジエン系などのエラストマー樹脂を挙げることができるが、これらに制限されるものではない。
【００１２】
本発明においては、上記エラストマー樹脂は、栓体として成型される際に、コンプレッション成型法により成型されることでコンプレッション成型体となる。コンプレッション成型体は、同じ成分の樹脂を用いて射出成型法により作製された射出成型体と比較して、以下の利点がある。まず、コンプレッション成型体では、樹脂を圧縮力で成型するため、射出成型体に見られるような樹脂流れによる配向性がない。射出成型法によって樹脂流れによる配向性の大きな樹脂で構成された射出成型体では、成型時の温度から常温まで冷却した場合に、反りや内部歪みの原因となる場合がある。すなわち、コンプレッション成型法によれば、その成型体はかかる反りや内部歪みの要因を排除することができる。ただし、コンプレッション成型法では樹脂流れによる配向性が生じることはないが、樹脂成分の圧縮による配向性が若干認められる。しかし圧縮による配向性は、樹脂流れによる配向性に比較して非常に弱いため、当該配向性が成型体に与える影響はほとんどない。
【００１３】
また、コンプレッション成型による製品では、射出成型で見られる樹脂流れの合流点であるウエルドと呼ばれる特異的に層を形成する部分は存在しない。ウエルドは射出された樹脂が最終的に集まる部位である。つまりウエルド部分の樹脂は、射出口からウエルドを形成するまでの間に冷却を受けるので表面の固化が始まった状態になっている。このような表面を持つ樹脂どうしが集まって接触しても、お互いに十分溶融しあわないので、ウエルド部分では内部歪みが生じやすくなる。かかるウエルドが生じないコンプレッション成型の栓体では、製品にした場合、安定した強度性能を得ることができる。
【００１４】
コンプレッション成型体は、上記特徴を有するので、減圧採血容器用の栓体として用いた場合に、射出成型体の栓体に比較して、針刺し後における容器内の密閉性を保持することができる。射出成型体による栓体の場合、上記反りや内部歪み等の影響で、栓体としての残歪性が大きいものであった。これに対してコンプレッション成型体ではかかる残歪性の原因となる内部歪み等がほとんど生じない。このためコンプレッション成型法によるエラストマー樹脂成型体を採血容器用の栓体として用いた場合には、針刺し後の密閉性が保持できるのである。
【００１５】
なお、コンプレッション成型した部品・製品では、射出成型法によって成型した部品・製品で不可避に発生するゲートマークが存在しない。ここでゲートマークとは射出成型法で成型した製品上に存在する樹脂の射出跡のこという。すなわち、当該ゲートマークの有無を判断することにより、その製品の成型法は射出成型法によるものか否かの特定が可能となる。
【００１６】
本発明の栓体形状の一例を図１に示した。図１は本発明の栓体の垂直断面図である。以下、本発明の栓体形状につき図１を用いて説明する。ただし本発明の栓体形状は、図示した形状に限られるものではない。栓体１は、採血管開口部天面に密着する胴部２と採血管の前記開口部の端縁部に密着する下面部４と前記開口部の内壁に密着する脚部３とから構成される。このような構成にすることにより、栓体と採血管の密着性を向上させ、これにより採血容器全体としての真空保持力を向上させるものである。また、前記胴部２の上面部には採血時に針を刺す部位である針刺し部５を有している。針刺し部５は、通常胴部上面部の中央付近に位置している。また針刺しを容易にするため、針刺し部５を下方向に凹んだ形状とすることができる。
【００１７】
本発明の採血容器用栓体を用いた採血容器の例を図２に示す。図２は本発明の採血容器の垂直断面図である。栓体１を採血管６に取り付けることにより、採血管６の開口部が封口され、採血容器を減圧状態に保つ。採血管６には、不純物が溶出しにくく、かつ内部が減圧されても変形しないガラス素材やＰＥＴ素材が用いられることが多い。ただし上記問題点を克服できるならば、他の合成樹脂等を用いることもできる。管形状は、試験管形状を取るものが一般的であるが、必要に応じて他の形状を取ることもできる。特に採血前の減圧保持及び採血後成分検査時における開栓容易性という相反した機能を付与するため、栓体１の脚部３及び下面部４と、採血管６の当該接触部位とを嵌合的な形状とした採血容器とすることもできる。
【産業上の利用可能性】
【００１８】
本発明の採血容器用栓体は、医療における採血管の栓体としての用途がある。また、当該栓体を用いた採血容器も医療の採血時に用いる容器としての用途がある。
【図面の簡単な説明】
【００１９】
【図１】本発明の採血容器用栓体の垂直断面図である。
【図２】本発明の採血容器の垂直断面図である。
【符号の説明】
【００２０】
１                      栓体
２                      胴部
３                      脚部
４                      下面部
５                      針刺し部
６                      採血管
【図１】
2005073841.tif 000003
【図２】
2005073841.tif 000004